(57)【要約】【課題】  マットを寝床板部上に敷いた状態のままでこれを乾燥したり暖めたりすることができるベッド、ベッド用マットの加熱方法及びベッドの寝床板部構成部材を提供すること。【解決手段】  ベッド１は、寝床板部２上にマットが敷かれるものである。寝床板部２の少なくとも一部は、中空部４を有するアルミニウム材からなる。そして、寝床板部２の中空部４内に、マットを加熱するための発熱体７が配置されている。【選択図】      図５
2006000320.tif 000002
【特許請求の範囲】
【請求項１】
寝床板部上にマットが敷かれるベッドにおいて、
前記寝床板部の少なくとも一部は、中空部を有するアルミニウム材からなり、
前記寝床板部の中空部内に、前記マットを加熱するための発熱体が配置されていることを特徴とするベッド。
【請求項２】
前記発熱体は、前記寝床板部の中空部内において、該寝床板部の上板部の下面に当接した状態に配置されている請求項１記載のベッド。
【請求項３】
前記発熱体は、帯状であり、且つ前記寝床板部の上板部の下面に貼着されることにより該下面に当接している請求項２記載のベッド。
【請求項４】
前記アルミニウム材は、アルミニウム押出中空材である請求項１〜３のいずれか１項記載のベッド。
【請求項５】
前記発熱体は、温度制御又は／及び時間制御可能である請求項１〜４のいずれか１項記載のベッド。
【請求項６】
前記発熱体は、前記寝床板部に設けられた温度センサからの出力信号に基づいて温度制御可能である請求項５記載のベッド。
【請求項７】
前記発熱体の動作を遠隔操作するリモコン操作器を備えている請求項１〜６のいずれか１項記載のベッド。
【請求項８】
前記ベッドは、前記寝床板部の少なくとも一部が電動で移動可能な電動ベッドであり、
前記リモコン操作器には、電動ベッド作動用スイッチが設けられている請求項７記載のベッド。
【請求項９】
寝床板部の少なくとも一部が、中空部を有するアルミニウム材からなり、
前記寝床板部上にベッド用マットを敷いた状態で、前記寝床板部の中空部内に配置された発熱体を発熱させることにより、前記マットを加熱し、該マットを乾燥又は暖めることを特徴するベッド用マットの加熱方法。
【請求項１０】
前記発熱体は、前記寝床板部の中空部内において、該寝床板部の上板部の下面に当接した状態に配置されている請求項９記載のベッド用マットの加熱方法。
【請求項１１】
前記発熱体は、帯状であり、且つ前記寝床板部の上板部の下面に貼着されることにより該下面に当接している請求項１０記載のベッド用マットの加熱方法。
【請求項１２】
前記アルミニウム材は、アルミニウム押出中空材である請求項９〜１１のいずれか１項記載のベッド用マットの加熱方法。
【請求項１３】
前記発熱体を温度制御又は／及び時間制御した状態で発熱させる請求項９〜１２のいずれか１項記載のベッド用マットの加熱方法。
【請求項１４】
前記発熱体を、前記寝床板部に設けられた温度センサからの出力信号に基づいて温度制御した状態で発熱させる請求項１３記載のベッド用マットの加熱方法。
【請求項１５】
前記発熱体の動作をリモコン操作器により遠隔操作する請求項９〜１４のいずれか１項記載のベッド用マットの加熱方法。
【請求項１６】
前記ベッドは、前記寝床板部の少なくとも一部が電動で移動可能な電動ベッドであり、
前記リモコン操作器には、電動ベッド作動用スイッチが設けられている請求項１５記載のベッド用マットの加熱方法。
【請求項１７】
寝床板部上にマットが敷かれるベッドの寝床板部構成部材において、
中空部を有するアルミニウム材からなり、
前記中空部内に、前記マットを加熱するための発熱体が配置されていることを特徴とするベッドの寝床板部構成部材。
【請求項１８】
前記発熱体は、前記中空部内において、上板部の下面に当接した状態に配置されている請求項１７記載のベッドの寝床板部構成部材。
【請求項１９】
前記発熱体は、帯状であり、且つ上板部の下面に貼着されることにより該下面に当接している請求項１８記載のベッドの寝床板部構成部材。
【請求項２０】
前記アルミニウム材は、アルミニウム押出中空材である請求項１７〜１９のいずれか１項記載のベッドの寝床板部構成部材。
【請求項２１】
前記発熱体の温度制御に用いられる信号を発信する温度センサが設けられている請求項１７〜２０のいずれか１項記載のベッドの寝床板部構成部材。
【発明の詳細な説明】
【技術分野】
【０００１】
本発明は、マットレス等のマットを加熱することができるベッド、ベッド用マットの加熱方法及びベッドの寝床板部構成部材に関する。
【０００２】
なお、本特許請求の範囲及び本明細書において、「アルミニウム」の語はその合金を含む意味において用いる。
【背景技術】
【０００３】
従来、ベッド上の就寝者を就寝時に暖めるために、電気毛布をはじめ、所定構造のマット内部に発熱体を埋設したもの、床材を所定の石材からなる放熱板で構成したもの等が知られている（特許文献１及び２参照。）。
【０００４】
ところで、日本をはじめとする先進諸国では高齢化社会を迎え、医療施設や介護施設では、寝たきりの患者や被介護者が増加しており、また介護する家族も高齢化が進んでいる。
【特許文献１】特開平２０００−３０１７７５号公報（請求項１、第１図）
【特許文献２】特開平１１−４６９３０号公報（請求項１、第１図）
【発明の開示】
【発明が解決しようとする課題】
【０００５】
そのため、ベッド上の患者を離床させ、重くて大きいマットレスを乾燥させるためにマットレスを干す作業は、介護者において大きな負担となっている。その結果、マットレスを干す頻度が減り、マットレスが寝床板部上に敷かれた状態で長時間放置されてしまい、マットレスの裏面（下面）にカビが発生する場合が少なからずあった。
【０００６】
本発明は、上述した技術背景に鑑みてなされたもので、その目的は、マットレス等のマットを寝床板部上に敷いた状態のままで、該マットを加熱してこれを乾燥したり暖めたりすることができるベッド、ベッド用マットの加熱方法及びベッドの寝床板部構成部材を提供することにある。
【課題を解決するための手段】
【０００７】
本発明は以下の手段を提供する。
【０００８】
［１］  寝床板部上にマットが敷かれるベッドにおいて、前記寝床板部の少なくとも一部は、中空部を有するアルミニウム材からなり、前記寝床板部の中空部内に、前記マットを加熱するための発熱体が配置されていることを特徴とするベッド。
【０００９】
［２］  前記発熱体は、前記寝床板部の中空部内において、該寝床板部の上板部の下面に当接した状態に配置されている前項１記載のベッド。
【００１０】
［３］  前記発熱体は、帯状であり、且つ前記寝床板部の上板部の下面に貼着されることにより該下面に当接している前項２記載のベッド。
【００１１】
［４］  前記アルミニウム材は、アルミニウム押出中空材である前項１〜３のいずれか１項記載のベッド。
【００１２】
［５］  前記発熱体は、温度制御又は／及び時間制御可能である前項１〜４のいずれか１項記載のベッド。
【００１３】
［６］  前記発熱体は、前記寝床板部に設けられた温度センサからの出力信号に基づいて温度制御可能である前項５記載のベッド。
【００１４】
［７］  前記発熱体の動作を遠隔操作するリモコン操作器を備えている前項１〜６のいずれか１項記載のベッド。
【００１５】
［８］  前記ベッドは、前記寝床板部の少なくとも一部が電動で移動可能な電動ベッドであり、前記リモコン操作器には、電動ベッド作動用スイッチが設けられている前項７記載のベッド。
【００１６】
［９］  寝床板部の少なくとも一部が、中空部を有するアルミニウム材からなり、前記寝床板部上にベッド用マットを敷いた状態で、前記寝床板部の中空部内に配置された発熱体を発熱させることにより、前記マットを加熱し、該マットを乾燥又は暖めることを特徴するベッド用マットの加熱方法。
【００１７】
［１０］  前記発熱体は、前記寝床板部の中空部内において、該寝床板部の上板部の下面に当接した状態に配置されている前項９記載のベッド用マットの加熱方法。
【００１８】
［１１］  前記発熱体は、帯状であり、且つ前記寝床板部の上板部の下面に貼着されることにより該下面に当接している前項１０記載のベッド用マットの加熱方法。
【００１９】
［１２］  前記アルミニウム材は、アルミニウム押出中空材である前項９〜１１のいずれか１項記載のベッド用マットの加熱方法。
【００２０】
［１３］  前記発熱体を温度制御又は／及び時間制御した状態で発熱させる前項９〜１２のいずれか１項記載のベッド用マットの加熱方法。
【００２１】
［１４］  前記発熱体を、前記寝床板部に設けられた温度センサからの出力信号に基づいて温度制御した状態で発熱させる前項１３記載のベッド用マットの加熱方法。
【００２２】
［１５］  前記発熱体の動作をリモコン操作器により遠隔操作する前項９〜１４のいずれか１項記載のベッド用マットの加熱方法。
【００２３】
［１６］  前記ベッドは、前記寝床板部の少なくとも一部が電動で移動可能な電動ベッドであり、前記リモコン操作器には、電動ベッド作動用スイッチが設けられている前項１５記載のベッド用マットの加熱方法。
【００２４】
［１７］  寝床板部上にマットが敷かれるベッドの寝床板部構成部材において、中空部を有するアルミニウム材からなり、前記中空部内に、前記マットを加熱するための発熱体が配置されていることを特徴とするベッドの寝床板部構成部材。
【００２５】
［１８］  前記発熱体は、前記中空部内において、上板部の下面に当接した状態に配置されている前項１７記載のベッドの寝床板部構成部材。
【００２６】
［１９］  前記発熱体は、帯状であり、且つ上板部の下面に貼着されることにより該下面に当接している前項１８記載のベッドの寝床板部構成部材。
【００２７】
［２０］  前記アルミニウム材は、アルミニウム押出中空材である前項１７〜１９のいずれか１項記載のベッドの寝床板部構成部材。
【００２８】
［２１］  前記発熱体の温度制御に用いられる信号を発信する温度センサが設けられている前項１７〜２０のいずれか１項記載のベッドの寝床板部構成部材。
【００２９】
次に、上記各項の発明を以下に説明する。
【００３０】
［１］の発明では、寝床板部の中空部内に発熱体が配置されているので、発熱体に人が直接接触するのを防止することができるし、発熱体が寝床板部で保護されて発熱体の外部との接触に伴う損傷や破損を防止することができるから、発熱体の耐用寿命が長くなる。さらに、寝床板部の少なくとも一部がアルミニウム（その合金を含む。以下同じ。）材からなるので、ベッドの軽量化を図ることができる上、寝床板部の熱伝導率が高い。そのため、マットの加熱効率が高く、マットを効果的に加熱することができる。そして、こうしてマットを加熱することにより、マットを寝床板部上に敷いた状態のままで該マットを効率良く乾燥することができるし、更には、冬場等、布団類が冷たい時期において、就寝前に該マットを予め暖めておくこともできる。すなわち、本発明に係るベッドは、マットを寝床板部上に敷いた状態のままで乾燥することができる「乾燥機能」と、就寝前にマットを予め暖めておくことができる「あたたか機能」とを有するマット加熱式暖房ベッドとしても利用可能である。
【００３１】
なお本発明において、マットとしては、マットレス、敷き布団等が挙げられる。
【００３２】
［２］の発明では、発熱体が寝床板部の上板部の下面に当接しているので、発熱体の熱が寝床板部の上板部に迅速に伝導する。そのため、マットの加熱効率が更に高く、マットを更に効果的に加熱することができる。
【００３３】
［３］の発明では、発熱体は帯状であるので、発熱体を寝床板部の中空部内に配置させる際に該発熱体を中空部内に挿入し易い。さらに、発熱体が寝床板部の上板部の下面に貼着されることにより該下面に当接しているので、発熱体を寝床板部の上板部の下面に確実に且つ容易に当接させることができる。
【００３４】
［４］の発明では、アルミニウム材はアルミニウム押出中空材であるから、寝床板部を能率良く且つコスト的に有利に製作することができる。
【００３５】
［５］の発明では、発熱体が温度制御又は／及び時間制御可能であるから、発熱体によるマットの加熱温度又は／及び加熱時間を所定値に確実に且つ容易に設定することができる。
【００３６】
［６］の発明では、発熱体は寝床板部に設けられた温度センサからの出力信号に基づいて温度制御可能であるから、発熱体の温度制御を確実に行うことができる。
【００３７】
［７］の発明では、発熱体の動作を遠隔操作するリモコン操作器を備えているから、発熱体の動作を遠隔場所（例えばベッドから離れた場所）において手元で操作することができ、使い勝手が良い。
【００３８】
なお、この場合において、リモコン操作器は、有線式のものであっても良いし、ワイヤレス式のものであっても良い。
【００３９】
［８］の発明では、リモコン操作器に電動ベッド作動用スイッチが設けられているので、一つのリモコン操作器で発熱体の動作と電動ベッドの動作とを操作することができ、使い勝手いが更に良い。
【００４０】
さらに、上述したように寝床板部の少なくとも一部がアルミニウム材からなることにより寝床板部の軽量化が図られているので、寝床板部の作動に要する駆動力を低減することができる。
【００４１】
［９］の発明では、上記［１］の発明と同様に、マットを効果的に加熱することができる。もとより、マットを寝床板部上に敷いた状態のままで該マットを加熱することができるから、マットの乾燥作業を容易に行うことができる。また、こうしてマットを加熱することにより、冬場等、布団類が冷たい時期において、就寝前に該マットを予め暖めておくことができる。
【００４２】
［１０］の発明では、上記［２］の発明と同様に、マットを更に効果的に加熱することができる。
【００４３】
［１１］の発明では、上記［３］の発明と同様に、発熱体を寝床板部の中空部内に配置させる際に該発熱体を中空部内に挿入し易いし、発熱体を寝床板部の上板部の下面に確実に且つ容易に当接させることができる。
【００４４】
［１２］の発明では、上記［４］の発明と同様に、寝床板部を能率良く且つコスト的に有利に製作することができる。
【００４５】
［１３］の発明では、上記［５］の発明と同様に、発熱体によるマットの加熱温度又は／及び加熱時間を所定値に確実に且つ容易に設定することができる。
【００４６】
［１４］の発明では、上記［６］の発明と同様に、発熱体の温度制御を確実に行うことができる。
【００４７】
［１５］の発明では、上記［７］の発明と同様に、発熱体の動作を遠隔場所（例えばベッドから離れた場所）において手元で操作することができ、使い勝手が良い。
【００４８】
［１６］の発明では、上記［８］の発明と同様に、一つのリモコン操作器で発熱体の動作と電動ベッドの動作とを操作することができ、使い勝手が更に良い。さらに、寝床板部の作動に要する駆動力を低減することができる。
【００４９】
［１７］の発明では、寝床板部構成部材は中空部を有するアルミニウム材からなるので、寝床板部の軽量化を図ることができるし、寝床板部構成部材は高い熱伝導率を有している。そして、この寝床板部構成部材の中空部内に発熱体が配置されているで、マットの加熱効率が高く、マットを効果的に加熱することができる。さらに、発熱体が人に直接接触するのを防止することができるし、発熱体が寝床板部構成部材で保護されて発熱体の外部との接触に伴う損傷や破損を防止することができるから、発熱体の耐用寿命が長くなる。
【００５０】
［１８］の発明では、発熱体が寝床板部構成部材の上板部の下面に当接しているので、マットの加熱効率が更に高く、マットを更に効果的に加熱することができる。
【００５１】
［１９］の発明では、発熱体は帯状であるので、発熱体を寝床板部構成部材の中空部内に配置させる際に該発熱体を中空部内に挿入し易い。さらに、発熱体が寝床板部構成部材の上板部の下面に貼着されることにより該下面に当接しているので、発熱体を寝床板部構成部材の上板部の下面に確実に且つ容易に当接させることができる。
【００５２】
［２０］の発明では、アルミニウム材はアルミニウム押出中空材であるから、寝床板部構成部材を能率良く且つコスト的に有利に製作することができる。
【００５３】
［２１］の発明では、所定の温度センサが設けているから、発熱体の温度制御を確実に行うことができる。
【発明の効果】
【００５４】
本発明は以下の効果を奏する。
【００５５】
［１］の発明によれば、発熱体に人が直接接触するのを防止することができるし、発熱体が寝床板部で保護されて、発熱体の外部との接触に伴う損傷や破損を防止することができるから、発熱体の耐用寿命を長くすることができる。さらに、ベッドの軽量化を図ることができることはもとより、寝床板部の熱伝導率が高いから、マットの加熱効率が高く、マットを効果的に加熱することができる。したがって、本発明に係るベッドによれば、マットを寝床板部上に敷いた状態のままで該マットを効率良く乾燥することができるし、更には、冬場等、布団類が冷たい時期において、就寝前に該マットを予め暖めておくこともできる。
【００５６】
［２］の発明によれば、マットの加熱効率が更に高く、マットを更に効果的に加熱することができる。
【００５７】
［３］の発明によれば、発熱体を寝床板部の中空部内に配置させる際に該発熱体を中空部内に挿入し易い。さらに、発熱体を寝床板部の上板部の下面に確実に且つ容易に当接させることができる。
【００５８】
［４］の発明によれば、寝床板部を能率良く且つコスト的に有利に製作することができる。
【００５９】
［５］の発明によれば、発熱体によるマットの加熱温度又は／及び加熱時間を所定値に確実に且つ容易に設定することができる。
【００６０】
［６］の発明によれば、発熱体の温度制御を確実に行うことができる。
【００６１】
［７］の発明によれば、発熱体の動作を遠隔場所（例えばベッドから離れた場所）において手元で操作することができる。
【００６２】
［８］の発明によれば、一つのリモコン操作器で発熱体の動作と電動ベッドの動作とを操作することができる。
【００６３】
［９］の発明では、上記［１］の発明と同様に、マットを効果的に加熱することができる。もとより、マットを寝床板部上に敷いた状態のままで該マットを加熱することができるから、マットの乾燥作業を容易に行うことができるし、冬場等、布団類が冷たい時期において、就寝前に該マットを予め暖めておくことができる。
【００６４】
［１０］の発明では、上記［２］の発明と同様に、マットを更に効果的に加熱することができる。
【００６５】
［１１］の発明では、上記［３］の発明と同様に、発熱体を寝床板部の中空部内に配置させる際に該発熱体を中空部内に挿入し易いし、発熱体を寝床板部の上板部の下面に確実に且つ容易に当接させることができる。
【００６６】
［１２］の発明では、上記［４］の発明と同様に、寝床板部を能率良く且つコスト的に有利に製作することができる。
【００６７】
［１３］の発明では、上記［５］の発明と同様に、発熱体によるマットの加熱温度又は／及び加熱時間を所定値に確実に且つ容易に設定することができる。
【００６８】
［１４］の発明では、上記［６］の発明と同様に、発熱体の温度制御を確実に行うことができる。
【００６９】
［１５］の発明では、上記［７］の発明と同様に、発熱体の動作を遠隔場所（例えばベッドから離れた場所）において手元で操作することができる。
【００７０】
［１６］の発明では、上記［８］の発明と同様に、一つのリモコン操作器で、発熱体の動作と電動ベッドの動作とを操作することができる。さらに、寝床板部の作動に要する駆動力を低減させることができる。
【００７１】
［１７］の発明によれば、寝床板部の軽量化を図ることができるし、マットの加熱効率が高く、マットを効果的に加熱することができる。さらに、発熱体が人に直接接触するのを防止することができるし、発熱体が寝床板部構成部材で保護されて発熱体の外部との接触に伴う損傷や破損を防止することができるから、発熱体の耐用寿命が長くなる。
【００７２】
［１８］の発明によれば、マットの加熱効率が更に高く、マットを更に効果的に加熱することができる。
【００７３】
［１９］の発明によれば、発熱体を寝床板部構成部材の中空部内に配置させる際に該発熱体を中空部内に挿入し易い。さらに、発熱体を寝床板部構成部材の上板部の下面に確実に且つ容易に当接させることができる。
【００７４】
［２０］の発明によれば、寝床板部構成部材を能率良く且つコスト的に有利に製作することができる。
【００７５】
［２１］の発明によれば、発熱体の温度制御を確実に行うことができる。
【発明を実施するための最良の形態】
【００７６】
次に、本発明の好ましい実施形態を以下に説明する。
【００７７】
図１において、（１）は、本発明の一実施形態に係るベッドである。このベッド（１）は、医療施設、介護施設、一般家庭等で用いられるものである。このベッド（１）に就寝する就寝者としては、健康人をはじめ、病人、高齢者、寝たきりの老人、乳幼児等が挙げられる。
【００７８】
このベッド（１）は寝床板部（２）を備えている。この寝床板部（２）上には、図２に示すようにマットレス等のマット（Ｍ）が敷かれる。そして、このマット（Ｍ）上で就寝者（Ｓ）が就寝する。
【００７９】
この寝床板部（２）は、図１に示すように、該寝床板部（２）を構成する部材（即ち寝床板部構成部材）としての複数の桟部材（３）から構成されている。これらの桟部材（３）は、ベッド（１）の長さ方向に延設された左右一対の支持フレーム（５）（５）に、ベッド（１）の幅方向に延在する態様で架設されている。
【００８０】
各桟部材（３）は、中空部（４）を有するアルミニウム（その合金を含む。）材からなり、詳述すると、断面四角形状のアルミニウム押出中空材からなる。したがって、中空部（４）は桟部材（３）をその軸方向（押出方向）に貫通して設けられている。
【００８１】
このベッド（１）は、電動ベッド（例：電動式ギャッチベッド）であって、図４に示すように寝床板部（２）を昇降移動させる電動式昇降装置（10）と、図３に示すように寝床板部（２）の一部（例えば背板部（2A））を起伏させる電動式起伏装置（12）とを備えている。
【００８２】
このベッド（１）において、寝床板部（２）は、図４に示すように、接床部（6a）を有するベースフレーム（６）に昇降装置（10）及び起伏装置（12）を介して取り付けられている。そして、昇降装置（10）を昇降作動させることにより、寝床板部（２）の高さ位置を調節できるものとなされている。さらに、起伏装置（12）を作動させることにより、寝床板部（２）の一部（例えば背板部（2A））が起伏するものとなされている。
【００８３】
寝床板部（２）を構成する複数の桟部材（３）のうち、背板部（2A）を構成する桟部材（３）の中空部（４）内と、脚板部（2B）を構成する桟部材（３）の中空部（４）内とには、それぞれ、帯状の発熱体（７）が挿入配置されている。一方、腰板部（2C）を構成する桟部材の中空部内には、発熱体は配置されていない。ただし本発明では、腰板部（2C）を構成する桟部材の中空部内にも発熱体（７）が配置されていても良い。
【００８４】
この発熱体（７）は、図５及び図６に示すように、桟部材（３）の中空部（４）内において、桟部材（３）の上板部（3a）の下面における、該上板部（3a）の一端部から他端部までの領域に亘って、高熱伝導性接着剤等により貼着されることにより、該下面に当接した状態に配置されている。さらに、図５に示すように、桟部材（３）の上板部（3a）の上面には、該上面の温度を検出する温度センサ（８）が設けられている。なお、（7a）は、発熱体（７）への給電コード（信号線）である。
【００８５】
この発熱体（７）は、温度センサ（８）からの出力信号に基づいて温度制御を行うことができるようになっており、更に、時間制御も行うことができるようになっている。
【００８６】
図１において、（14）は、コントロールボックスである。このコントロールボックス（14）には、発熱体（７）を温度制御及び時間制御する発熱体制御部（15）と、電動ベッドの動作を制御する電動ベッド制御部として、寝床板部（２）の昇降動作及び起伏動作を制御する寝床板部制御部（16）とが収容されている。このコントロールボックス（14）はベッド（１）近傍に付設されており、例えば、寝床板部（２）の下方近傍に配置される。なお、（14a）は、コントロールボックス（14）の電源コードである。
【００８７】
さらに、このベッド（１）は、発熱体（７）の動作を遠隔操作する有線式のリモコン操作器（20）を備えている。
【００８８】
このリモコン操作器（20）には、発熱体作動用スイッチ（21）として、マット（Ｍ）の乾燥を開始及び停止する押しボタン式乾燥スイッチ（21A）と、マット（Ｍ）を暖めて暖房を開始及び停止する押しボタン式暖房スイッチ（21B）とが設けられている。
【００８９】
さらに、このリモコン操作器（20）には、電動ベッド作動用スイッチ（22）として、寝床板部（２）の高さ調節用押しボタン式スイッチ（22A）（22B）と、寝床板部（２）の頭部（背板部（2A））の傾斜角度調節用押しボタン式スイッチ（22C）（22D）とが設けられている。なお、（24）は、マット（Ｍ）の加熱温度や加熱時間、時刻等を表示する表示部（例：デジタル表示部）である。
【００９０】
次に、本実施形態のベッド（１）において、マット（Ｍ）を加熱してこれを乾燥する方法（マットの加熱乾燥方法）について、以下に説明する。
【００９１】
まず、ベッド（１）の寝床板部（２）上にマット（Ｍ）を敷いた状態のままで、リモコン操作器（20）の乾燥スイッチ（21A）を押してオン状態にする。これにより、発熱体（７）に電気が供給されて該発熱体（７）が発熱し、マット（Ｍ）が加熱されて該マット（Ｍ）の乾燥が開始する。
【００９２】
この発熱体（７）によるマット（Ｍ）の加熱温度は、温度センサ（８）で検出される。そして、この温度センサ（８）からの出力信号に基づいて発熱体（７）がコントロールボックス（14）の発熱体制御部（15）によって温度制御及び時間制御される。
【００９３】
そして、所定時間経過後、発熱体制御部（15）による時間制御によって発熱体（７）への給電が自動的に停止され、もってマット（Ｍ）の加熱乾燥が終了する。なお、マット（Ｍ）の加熱乾燥を一時停止する等、マット（Ｍ）の加熱乾燥を強制的に停止する場合には、リモコン操作器（20）の乾燥スイッチ（21A）を再度押してＯＦＦ状態にする。これにより、発熱体（７）への給電が強制的に停止される。一方、マット（Ｍ）の加熱乾燥を再開する場合には、乾燥スイッチ（21A）をもう一度押してＯＮ状態にする。これにより、発熱体（７）への給電が再開し、マット（Ｍ）が再度加熱乾燥される。
【００９４】
次に、マット（Ｍ）を加熱してこれを暖める方法（マットの加熱暖め方法）について、以下に説明する。
【００９５】
まず、就寝前において、ベッド（１）の寝床板部（２）上にマット（Ｍ）を敷いた状態のままで、リモコン操作器（20）の暖房スイッチ（21B）を押してオン状態にする。これにより、発熱体（７）に電気が供給されて該発熱体（７）が発熱し、マット（Ｍ）が加熱されて該マット（Ｍ）の暖めが開始する。
【００９６】
この発熱体（７）によるマット（Ｍ）の加熱温度は、温度センサ（８）で検出される。そして、この温度センサ（８）からの出力信号に基づいて発熱体（７）がコントロールボックス（14）の発熱体制御部（15）によって温度制御及び時間制御される。なお、マット（Ｍ）を加熱して暖める場合におけるマット（Ｍ）の加熱温度（即ち暖め温度）は、マット（Ｍ）を加熱して乾燥する場合におけるマット（Ｍ）の加熱温度（即ち乾燥温度）よりも低く設定されている。
【００９７】
なお、本実施形態では、発熱体制御部（15）による時間制御によって、就寝後に発熱体（７）への給電を自動的に停止させることにより、マット（Ｍ）の暖めを終了するように設定されていても良い。また、マット（Ｍ）の暖めを一時停止する等、マット（Ｍ）の暖めを強制的に停止する場合には、リモコン操作器（20）の暖房スイッチ（21B）を再度押してＯＦＦ状態にする。これにより、発熱体（７）への給電が強制的に停止される。一方、マット（Ｍ）の暖めを再開する場合には、暖房スイッチ（21B）をもう一度押してＯＮ状態にする。これにより、発熱体（７）への給電が再開し、マット（Ｍ）が再度暖められる。
【００９８】
また、このベッド（１）において、寝床板部（２）の高さ調節や頭部（背板部（2A））の傾斜角度の調節は、次のように行われる。
【００９９】
すなわち、リモコン操作器（20）の、寝床板部（２）の高さ調節用スイッチ（22A）（22B）のうち、上昇スイッチ（22A）を押すことにより、寝床板部（２）全体が上昇する（図４参照）。一方、降下スイッチ（22B）を押すことにより、寝床板部（２）全体が下降する（図２参照）。
【０１００】
また、リモコン操作器（20）の、寝床板部（２）の頭部（背板部（2A））の傾斜角度調節用スイッチ（22C）（22D）のうち、起立スイッチ（22C）を押すことにより、寝床板部（２）の頭部（背板部（2A））の傾斜角度が増大して頭部（背板部（2A））が起き上がる（図３参照）。一方、倒伏スイッチ（22D）を押すことにより、寝床板部（２）の頭部（背板部（2A））の傾斜角度が減少して頭部（背板部（2A））が略水平に倒伏する（図２参照）。
【０１０１】
而して、本実施形態のベッド（１）によれば、寝床板部（２）を構成する桟部材（３）の中空部（４）内に、発熱体（７）が配置されているので、発熱体（７）に人が直接接触するのを防止することができるし、発熱体（７）を桟部材（３）で保護することができて、該発熱体（７）の外部との接触に伴う損傷が破損を防止することができる。そのため、発熱体（７）の耐用寿命を長くすることができる。
【０１０２】
さらに、桟部材（３）がアルミニウム材からなるので、ベッド（１）の軽量化を図ることができるし、桟部材（３）は高い熱電導率を有している。そのため、マット（Ｍ）の加熱効率が高く、マット（Ｍ）を効果的に加熱することができる。さらに、桟部材（３）がアルミニウム材からなることにより、寝床板部（２）の軽量化が図られているので、寝床板部（２）の作動に要する駆動力を低減させることができ、ひいては、昇降装置（10）や起伏装置（12）の簡素化や小型化を図ることができる。
【０１０３】
その上、発熱体（７）が桟部材（３）の上板部（3a）の下面に当接しているので、マット（Ｍ）の加熱効率が更に高く、マット（Ｍ）を更に効果的に加熱することができる。
【０１０４】
さらに、発熱体（７）は帯状であるので、発熱体（７）を桟部材（３）の中空部（４）内に配置させる際に該発熱体（７）を中空部（４）内に挿入し易い。さらに、発熱体（７）が桟部材（３）の上板部（3a）の下面に貼着されることにより該下面に当接しているので、発熱体（３）を上板部（3a）の下面に確実に且つ容易に当接させることができる。
【０１０５】
もとより、アルミニウム材がアルミニウム押出中空材であるから、桟部材（３）（寝床板部（２））を能率良く且つコスト的に有利に製作することができる。
【０１０６】
さらに、発熱体（７）が温度制御及び時間制御可能であるから、発熱体（７）によるマット（Ｍ）の加熱温度及び加熱時間を所定値に確実に且つ容易に設定することができる。
【０１０７】
その上、発熱体（７）は温度センサ（８）からの出力信号に基づいて温度制御可能であるから、発熱体（７）の温度制御を確実に行うことができる。
【０１０８】
さらに、発熱体（７）の動作を遠隔操作するリモコン操作器（20）を備えているから、発熱体（７）の動作を遠隔場所（例えばベッドから離れた場所）において手元で操作することができる。
【０１０９】
その上、リモコン操作器（20）には、発熱体作動用スイッチ（21）として、乾燥スイッチ（21A）と暖房スイッチ（21B）とが設けられ、且つ電動ベッド作動用スイッチ（22）として、寝床板部（２）の高さ調節用スイッチ（22A）（22B）と寝床板部（２）の頭部の傾斜角度調節用スイッチ（22C）（22D）とが設けられているので、一つのリモコン操作器（20）で、発熱体（７）の動作と電動ベッド（１）の動作とを操作することができ、使い勝手が更に良い。
【０１１０】
もとより、マット（Ｍ）を寝床板部（２）上に敷いた状態のままでマット（Ｍ）を加熱乾燥することができるから、マット（Ｍ）の乾燥作業を容易に行うことができる。また、マット（Ｍ）を加熱することにより、冬場等、布団類が冷たい時期において、就寝前に該マット（Ｍ）を予め暖めておくことができる。すなわち、本実施形態のベッド（１）は、マット（Ｍ）を寝床板部（２）上に敷いた状態のままで乾燥することができる「乾燥機能」と、就寝前にマット（Ｍ）を予め暖めておくことができる「あたたか機能」とを有するマット加熱式暖房ベッドとしても利用可能である。
【０１１１】
さらに、本実施形態のベッド（１）によれば、発熱体（７）の動作を制御する発熱体制御部（15）と、電動ベッド（１）の動作を制御する電動ベッド制御部として寝床板部（２）の動作を制御する寝床板部制御部（16）とが、同じコントロールボックス（14）に収容されているので、二つの制御部（15）（16）をそれぞれ個別のコントロールボックスに収容する場合に比べて、コントロールボックス（14）のコンパクト化を図ることができるし、更には、コントロールボックス（14）内の部品の共有化を図ることができて製造コストを引き下げることが可能となる。
【０１１２】
以上で、本発明の一実施形態を説明したが、本発明は、上記実施形態に示したものに限定されるものではなく、様々に設定変更可能である。
【０１１３】
例えば、本発明では、リモコン操作器（20）は、赤外線等の光や電磁波で信号を送信するワイヤレス式のものであっても良い。
【０１１４】
また、本発明では、寝床板部（２）を構成する全ての桟部材（３）の中空部（４）内に、発熱体（７）が配置されていても良い。
【産業上の利用可能性】
【０１１５】
本発明に係るベッドは、主として病院用ベッド、介護施設用ベッドに好適に適用される。
【図面の簡単な説明】
【０１１６】
【図１】本発明の一実施形態に係るベッドの斜視図である。
【図２】同ベッドの側面図である。
【図３】同ベッドにおいて、寝床板部の一部を傾斜させた状態を示す側面図である。
【図４】同ベッドにおいて、寝床板部を上昇させた状態を示す側面図である。
【図５】図１中のＸ部分の一部切欠き拡大図である。
【図６】図２中のＹ部分の拡大図である。
【符号の説明】
【０１１７】
１…ベッド
２…寝床板部
３…桟部材（寝床板部構成部材）
４…中空部
７…発熱体
８…温度センサ
10…昇降装置
12…起伏装置
14…コントロールボックス
15…発熱体制御部
16…寝床板部制御部（電動ベッド制御部）
20…リモコン操作器
21…発熱体作動用スイッチ
21A…乾燥スイッチ
21B…暖房スイッチ
22…電動ベッド作動用スイッチ
22A、22B…寝床板部の高さ調節用スイッチ
22C、22D…頭部の傾斜角度調節用スイッチ
【図１】
2006000320.tif 000003
【図２】
2006000320.tif 000004
【図３】
2006000320.tif 000005
【図４】
2006000320.tif 000006
【図５】
2006000320.tif 000007
【図６】
2006000320.tif 000008